(57)【要約】【課題】磁性シートに無駄を省くことができ、安価で容易に製造することが可能である非接触ＩＣカード通信調整板を提供する。【解決手段】非接触ＩＣカード通信調整板１は、外部装置４０が発信する電磁波を利用して前記外部装置４０と非接触で通信することができる非接触ＩＣカード３０に重ね合わせて使用し、外部装置４０と非接触ＩＣカード３０との間の電磁波を遮断ないし減衰させるものであり、シールドシート１０と、シールドシート１０の片面または両面に積層され、外部装置４０と非接触ＩＣカード３０との間の電磁波を透過させる、複数の貫通孔２１，２１ａを有する多孔磁性シート２０，２０Ａと、を備えている。【選択図】図１
2009288833.tif 000002
【特許請求の範囲】
【請求項１】
外部装置が発信する電磁波を利用して前記外部装置と非接触で通信することができる非接触ＩＣカードに重ね合わせて使用する、前記外部装置と前記非接触ＩＣカードとの通信状態を調整するための非接触ＩＣカード通信調整板において、
前記外部装置と前記非接触ＩＣカードとの間の前記電磁波を遮断ないし減衰させる、シールドシートと、
前記シールドシートの片面または両面に積層され、前記外部装置と前記非接触ＩＣカードとの間の前記電磁波を透過させる、複数の貫通孔を有する多孔磁性シートと、を備えたことを特徴とする非接触ＩＣカード通信調整板。
【請求項２】
前記多孔磁性シートは、前記シールドシートの周縁の外側にはみ出した部分がなく、前記多孔磁性シートの周縁には前記貫通孔が掛かって形成された切欠き凹部を有することを特徴とする請求項１に記載の非接触ＩＣカード通信調整板。
【請求項３】
前記非接触ＩＣカードがＩＣに接続されたアンテナコイルを内蔵し、
前記多孔磁性シートは、前記シールドシートを前記非接触ＩＣカードに重ね合わせた使用状態において、前記アンテナコイルの少なくとも一部に重なることを特徴とする請求項１または２に記載の非接触ＩＣカード通信調整板。
【請求項４】
外部装置が発信する電磁波を利用して前記外部装置と非接触で通信することができる非接触ＩＣカードに重ね合わせて使用する、前記外部装置と前記非接触ＩＣカードとの通信状態を調整するための非接触ＩＣカード通信調整板において、
前記外部装置と前記非接触ＩＣカードとの間の前記電磁波を遮断ないし減衰させる、シールドシートと、
前記シールドシートの片面または両面に積層され、前記外部装置と前記非接触ＩＣカードとの間の前記電磁波を透過させる複数の磁性シート片と、を備え、
前記複数の磁性シート片は、シールドシートの周縁のうち一つの角部で繋がる、２方向に延びる２つの周縁には同時に接触可能であるが、同方向に延びる２つの周縁には接触しない大きさであることを特徴とする非接触ＩＣカード通信調整板。
【請求項５】
前記非接触ＩＣカードがＩＣに接続されたアンテナコイルを内蔵し、
前記複数の磁性シート片の少なくとも１つは、前記シールドシートを前記非接触ＩＣカードに重ね合わせた使用状態において、前記アンテナコイルの一部に重なることを特徴とする請求項４に記載の非接触ＩＣカード通信調整板。
【請求項６】
外部装置と非接触で通信することができる非接触ＩＣカードを収納したままで使用する非接触ＩＣカード収納具において、
前記非接触ＩＣカードを収納するＩＣカード収納部内に、前記外部装置と前記非接触ＩＣカードとの通信状態を調整するための請求項１から５の何れか一項に記載の非接触ＩＣカード通信調整板を備え、
前記非接触ＩＣカード通信調整板は、前記ＩＣカード収納部に収納した前記非接触ＩＣカードと重なり合うように取り付けたことを特徴とする非接触ＩＣカード収納具。
【発明の詳細な説明】
【技術分野】
【０００１】
本発明は、外部装置が発信する電磁波を利用して外部装置と非接触で通信することができる非接触ＩＣカードに重ね合わせて使用する、外部装置と非接触ＩＣカードとの通信状態を調整するための非接触ＩＣカード通信調整板および非接触ＩＣカードを収納したままで使用することができる非接触ＩＣカード収納具に関する。
【背景技術】
【０００２】
従来の非接触ＩＣカード通信調整板としては、例えば本願出願人が提案した特許文献１、および特許文献２に示すようなものがある。  
すなわち、特許文献１は、電磁シールド効果を有する略四辺形の電磁シールド層の片面または両面に該電磁シールド層よりもやや狭い面積を有する高透磁層を積層したものである。そして、高透磁層は、電磁シールド層にほぼ相似の形状を有しており、その周縁外側は電磁シールド層に囲まれるように形成されている。
【０００３】
また、特許文献２も特許文献１と同様に、導電性シートに磁性シートを積層したものであり、磁性シートは、導電性シートの形状より小さい形状であり、導電性シートの外周縁部分には積層しないようにしたものである。
【０００４】
【特許文献１】特開２００６−３５０７４８号公報
【特許文献２】特許第３８７２４９６号公報
【発明の開示】
【発明が解決しようとする課題】
【０００５】
しかしながら、特許文献１に記載された技術では、電磁シールド層の外周縁部を残してその内側全体に高透磁層が形成されているので、外部装置と非接触ＩＣカードとの通信は良好にすることができるが、高透磁層の占める面積が大きいので高価になるという問題点があった。
【０００６】
また、特許文献２には、導電性シートの外周縁部を残してその近傍内側に磁性シートを積層するようにして形成したもので、磁性シートとして一枚の磁性シートの内側を広い面積に亘ってくり貫いた形状を有するものが開示されている。しかしながら、このような形状の磁性シートを製造するためには、例えば、磁性シートを四辺形に形成してから中央側をくり貫くなどしなければならず、磁性シートに無駄が生じ得るという問題があった。また、中央側をくり貫くことなく製造するには、そのための製造技術が必要になるという問題があった。さらに、このような形状の磁性シートを導電性シートに貼着するには、そのための生産技術が必要であった。
【０００７】
本発明は、このような従来の技術が有する問題点に着目してなされたもので、磁性シートに無駄を省くことができ、安価で容易に製造することが可能である非接触ＩＣカード通信調整板を提供することを目的としている。
【課題を解決するための手段】
【０００８】
かかる目的を達成するための本発明の要旨とするところは、次の各項の発明に存する。［１］  外部装置（４０）が発信する電磁波を利用して前記外部装置（４０）と非接触で通信することができる非接触ＩＣカード（３０）に重ね合わせて使用する、前記外部装置（４０）と前記非接触ＩＣカード（３０）との通信状態を調整するための非接触ＩＣカード通信調整板（１）において、
前記外部装置（４０）と前記非接触ＩＣカード（３０）との間の前記電磁波を遮断ないし減衰させる、シールドシート（１０）と、
前記シールドシート（１０）の片面または両面に積層され、前記外部装置（４０）と前記非接触ＩＣカード（３０）との間の前記電磁波を透過させる、複数の貫通孔（２１，２１ａ）を有する多孔磁性シート（２０，２０Ａ）と、を備えたことを特徴とする非接触ＩＣカード通信調整板（１）。
【０００９】
［２］  前記多孔磁性シート（２０，２０Ａ）は、前記シールドシート（１０）の周縁の外側にはみ出した部分がなく、前記多孔磁性シート（２０，２０Ａ）の周縁（２３，２３ａ）には前記貫通孔（２１，２１ａ）が掛かって形成された切欠き凹部（２２，２２ａ）を有することを特徴とする［１］に記載の非接触ＩＣカード通信調整板（１）。
【００１０】
［３］  前記非接触ＩＣカード（３０）がＩＣに接続されたアンテナコイル（３３）を内蔵し、
前記多孔磁性シート（２０，２０Ａ）は、前記シールドシート（１０）を前記非接触ＩＣカード（３０）に重ね合わせた使用状態において、前記アンテナコイル（３３）の少なくとも一部に重なることを特徴とする［１］または［２］に記載の非接触ＩＣカード通信調整板（１）。
【００１１】
［４］  外部装置（４０）が発信する電磁波を利用して前記外部装置（４０）と非接触で通信することができる非接触ＩＣカード（３０）に重ね合わせて使用する、前記外部装置（４０）と前記非接触ＩＣカード（３０）との通信状態を調整するための非接触ＩＣカード通信調整板（１Ａ）において、
前記外部装置（４０）と前記非接触ＩＣカード（３０）との間の前記電磁波を遮断ないし減衰させる、シールドシート（１０）と、
前記シールドシート（１０）の片面または両面に積層され、前記外部装置（４０）と前記非接触ＩＣカード（３０）との間の前記電磁波を透過させる複数の磁性シート片（１００）と、を備え、
前記複数の磁性シート片（１００）は、シールドシート（１０）の周縁のうち一つの角部（１０１）で繋がる、２方向に延びる２つの周縁には同時に接触可能であるが、同方向に延びる２つの周縁には接触しない大きさであることを特徴とする非接触ＩＣカード通信調整板（１Ａ）。
【００１２】
［５］  前記非接触ＩＣカード（３０）がＩＣに接続されたアンテナコイル（３３）を内蔵し、
前記複数の磁性シート片（１００）の少なくとも１つは、前記シールドシート（１０）を前記非接触ＩＣカード（３０）に重ね合わせた使用状態において、前記アンテナコイル（３３）の一部に重なることを特徴とする［４］に記載の非接触ＩＣカード通信調整板（１Ａ）。
【００１３】
［６］  外部装置（４０）と非接触で通信することができる非接触ＩＣカード（３０）を収納したままで使用する非接触ＩＣカード収納具（５０、６０）において、
前記非接触ＩＣカード（３０）を収納するＩＣカード収納部（５１、６３）内に、前記外部装置（４０）と前記非接触ＩＣカード（３０）との通信状態を調整するための［１］から［５］の何れか一項に記載の非接触ＩＣカード通信調整板（１、１Ａ）を備え、
前記非接触ＩＣカード通信調整板（１、１Ａ）は、前記ＩＣカード収納部（５１、６３）に収納した前記非接触ＩＣカード（３０）と重なり合うように取り付けたことを特徴とする非接触ＩＣカード収納具（５０、６０）。
【００１４】
前記本発明は次のように作用する。  
シールドシート（１０）は、透過しようとする電磁波を遮断ないし減衰することができるものである。また、多孔磁性シート（２０，２０Ａ）および磁性シート片（１００）は、電磁波を空気層よりも高密度に透過させることができるものである。
【００１５】
したがって、非接触ＩＣカード（３０）の表裏両面のうち外部装置（４０）に面する側に非接触ＩＣカード通信調整板（１Ａ）が重ね合わされているような状態にあるときは、非接触ＩＣカード通信調整板（１Ａ）側の面が多孔磁性シート（２０，２０Ａ）または磁性シート片（１００）を備える面であるか否かにかかわらず、シールドシート（１０）が外部装置（４０）からの電磁波を遮断して、非接触ＩＣカード（３０）と外部装置（４０）との通信を防止することができる。
【００１６】
逆に、非接触ＩＣカード通信調整板（１Ａ）が外部装置（４０）とは反対側で非接触ＩＣカード（３０）に重ね合わさった状態にあり、すなわち、非接触ＩＣカード（３０）が外部装置（４０）に面するような状態にあり、かつ、その重ね合わさった非接触ＩＣカード通信調整板（１Ａ）側の面が多孔磁性シート（２０，２０Ａ）または磁性シート片（１００）を備えない面であるときは、外部装置（４０）からの電磁波は、非接触ＩＣカード（３０）を透過した後、シールドシート（１０）によって減衰させられるので、この場合にも外部装置（４０）との通信を防止することができる。
【００１７】
これに対して、非接触ＩＣカード通信調整板（１Ａ）に重ね合わさった非接触ＩＣカード（３０）が外部装置（４０）に面するような状態にあり、かつ、その重ね合わさった非接触ＩＣカード通信調整板（１Ａ）側の面が多孔磁性シート（２０，２０Ａ）または磁性シート片（１００）を備える面であるときは、外部装置（４０）からの電磁波は、非接触ＩＣカード通信調整板（１Ａ）に遮られずに直接に非接触ＩＣカード（３０）に至る。そして、アンテナコイル（３３）が電磁波を受信すると、磁誘導により非接触ＩＣカード（３０）内に電流が供給され、これにより、非接触ＩＣカード（３０）が動作して電磁波を発信する。このようにして、非接触ＩＣカード通信調整板（１Ａ）は、非接触ＩＣカード（３０）と外部装置（４０）との通信を可能にしたり、防止したりすることができる。
【００１８】
項［１］に係る非接触ＩＣカード通信調整板（１）は、シールドシート（１０）の片面または両面には、多孔磁性シート（２０，２０Ａ）が積層されている。この多孔磁性シート（２０，２０Ａ）には、その全面にわたって複数の貫通孔（２１，２１ａ）がくり貫かれている。これにより、複数の貫通孔（２１，２１ａ）の分だけ使用する磁性材が少なく済むので、安価に製造することができる。
【００１９】
また、貫通孔（２１，２１ａ）を形成する際にくり貫かれた磁性シート片は、後述するように他のタイプの非接触ＩＣカード通信調整板（１Ａ）に使用することができるので、無駄を省くことができる。
【００２０】
シールドシート（１０）に積層された多孔磁性シート（２０，２０Ａ）の周縁（２３，２３ａ）がシールドシート（１０）の周縁（２３，２３ａ）の外側にはみ出さない大きさに形成されており、さらに、周縁には貫通孔（２１，２１ａ）が掛かって形成された切欠き凹部（２２，２２ａ）を有するものの場合には、切欠き凹部（２２，２２ａ）の周縁は、切欠き凹部（２２，２２ａ）が形成されていない周縁よりも内側に凹んでいる。このため、例えば多孔磁性シート（２０，２０Ａ）とシールドシート（１０）の大きさがほぼ同じであり、多孔磁性シート（２０，２０Ａ）の周縁（２３，２３ａ）のうち切欠き凹部（２２，２２ａ）の無い部分とシールドシート（１０）の周縁とが一致している場合であっても、多孔磁性シート（２０，２０Ａ）の周縁（２３，２３ａ）とシールドシート（１０）の周縁とはそれぞれの全周にわたって一致しているわけではなく、切欠き凹部（２２，２２ａ）の周縁は、シールドシート（１０）の周縁が囲む領域の内側に凹んでおり、シールドシート（１０）の周縁から必ず離れた位置にある。
【００２１】
すなわち、多孔磁性シート（２０，２０Ａ）の切欠き凹部（２２，２２ａ）の所では、多孔磁性シート（２０，２０Ａ）の周縁（２３，２３ａ）がシールドシート（１０）の周縁に至っていない。これにより、使用状態において、外部装置（４０）からの電磁波が非接触ＩＣカード通信調整板（１）を回り込んで反対側にある非接触ＩＣカード（３０）の情報を読み取ってしまう読み取りエラーの発生する可能性を低下させることができる。
【００２２】
また、複数の貫通孔（２１，２１ａ）の部分ではシールドシート（１０）が露出しているので、その部分に入射する電磁波では非接触ＩＣカード（３０）の情報を読み取ることができないが、シールドシート（１０）を非接触ＩＣカード（３０）に重ね合わせた使用状態において、非接触ＩＣカード（３０）のアンテナコイル（３３）の少なくとも一部に多孔磁性シート（２０，２０Ａ）が重なるようにすることにより、その重なった部分に入射する電磁波によって非接触ＩＣカード（３０）の情報を読み取ることができる。また、シールドシート（１０）が露出していることにより、非接触ＩＣカード通信調整板（１）の反対側にある非接触ＩＣカード（３０）の情報を読み取ってしまう読み取りエラーの発生する可能性をより低下させることができる。
【００２３】
項［４］に係る非接触ＩＣカード通信調整板（１Ａ）は、シールドシート（１０）の片面または両面には、複数の磁性シート片（１００）が積層されている。この磁性シート片（１００）は、例えば、項［１］に係る非接触ＩＣカード通信調整板（１）の多孔磁性シート（２０，２０Ａ）に複数の貫通孔（２１，２１ａ）を形成する際に磁性シートからくり貫いた磁性シート片を使用することができる。これにより、磁性材をほとんど無駄にすることなく非接触ＩＣカード通信調整板（１、１Ａ）を製造することができる。
【００２４】
複数の磁性シート片（１００）は、シールドシート（１０）の周縁のうち一つの角部（１０１）で繋がる、２方向に延びる２つの周縁には同時に接触可能であるが、同方向に延びる２つの周縁には接触しない大きさであるので、シールドシート（１０）上に積層する際に、ランダムに配置することができるので、容易に製造することができる。
【００２５】
複数の磁性シート片（１００）のシールドシート（１０）上への積層に際しては、非接触ＩＣカード（３０）のアンテナコイル（３３）全体が複数の磁性シート片（１００）同士間の間隙に収まってしまうような配置にならないようにすればよい。すなわち、シールドシート（１０）を非接触ＩＣカード（３０）に重ね合わせた使用状態において、複数の磁性シート片（１００）の少なくとも１つがアンテナコイル（３３）の一部に重なるようにすればよい。これにより、アンテナコイル（３３）に重なった磁性シート片（１００）に入射する電磁波によって非接触ＩＣカード（３０）の情報を読み取ることができる。
【００２６】
また、非接触ＩＣカード（３０）を収納するＩＣカード収納部（５１、６３）を有し、該ＩＣカード収納部（５１、６３）に収納した非接触ＩＣカード（３０）と重なり合うように非接触ＩＣカード通信調整板（１、１Ａ）を取り付けた非接触ＩＣカード収納具（５０、６０）によれば、非接触ＩＣカード通信調整板（１、１Ａ）と非接触ＩＣカード（３０）とが適切な位置関係に重なるので、非接触ＩＣカード通信調整板（１、１Ａ）の奏する効果を好適に発揮させることができる。
【発明の効果】
【００２７】
請求項１に係る発明の非接触ＩＣカード通信調整板によれば、シールドシートに積層する磁性シートとして、磁性シートに複数の貫通孔をくり貫いた多孔磁性シートとしたので、複数の貫通孔の分だけ磁性材が少なく済むので、安価に製造することができ、また、くり貫いた磁性シート片を他のタイプの非接触ＩＣカード通信調整板に磁性シート片として使用することができるので磁性材に無駄が生じることをなくすことができる。
【００２８】
また、多孔磁性シートの周縁に形成された切欠き凹部は、その周縁がシールドシートの周縁が囲む領域の内側に確実に位置し、シールドシートの周縁から離れているので、その分、外部装置からの電磁波が非接触ＩＣカード通信調整板を回り込んで反対側にある非接触ＩＣカードの情報を読み取ってしまう読み取りエラーの発生する可能性を低下させることができる。また、多孔磁性シートの貫通孔により、非接触ＩＣカード通信調整板の全面にわたってシールドシートの露出部分が分布しているので、非接触ＩＣカード通信調整板の反対側にある非接触ＩＣカードの情報を読み取ってしまう読み取りエラーの発生する可能性をより低下させることができ、非接触ＩＣカードからの情報の読み取りが安定したものとなる。
【００２９】
請求項４に係る発明の非接触ＩＣカード通信調整板によれば、シールドシートに積層する磁性シートの代わりに、複数の磁性シート片をシールドシートに積層してあり、その磁性シート片は、シールドシートの周縁のうち一つの角部で繋がる、２方向に延びる２つの周縁には同時に接触可能であるが、同方向に延びる２つの周縁には接触しない大きさであるので、シールドシートに積層する際に磁性シート片の向きや配置の仕方に制限がなく、磁性シート片をランダムに配置することができ、もって容易に製造することができる。また、磁性シート片同士の間には、シールドシートの露出した部分があるので、非接触ＩＣカード通信調整板の反対側にある非接触ＩＣカードの情報を読み取ってしまう読み取りエラーの発生する可能性をより低下させることができ、非接触ＩＣカードからの情報の読み取りが安定したものとなる。
【００３０】
また、磁性シート片として、多孔磁性シートを製造する際に磁性シートからくり貫いたものを使用することができるので、磁性材をほとんど無駄にすることなく、安価に非接触ＩＣカード通信調整板を製造することができる。
【００３１】
請求項６に係る非接触ＩＣカード収納具によれば、非接触ＩＣカードをＩＣカード収納部に収納することにより、非接触ＩＣカード通信調整板と非接触ＩＣカードとが適切な位置関係に重なるので、非接触ＩＣカード通信調整板の奏する効果を好適に発揮させることができる。
【発明を実施するための最良の形態】
【００３２】
以下、図面に基づき本発明の好適な各種の実施の形態を説明する。  
図１から図５までは、本発明の第１の実施の形態を示している。  
図１は、本発明の第１の実施の形態に係る非接触ＩＣカード通信調整板に積層する多孔磁性シートを示す平面図であり、図２は、本発明の第１の実施の形態に係る非接触ＩＣカード通信調整板の長辺側から見た側面図であり、図３は、本発明の第１の実施の形態に係る非接触ＩＣカード通信調整板の作用を説明する図である。図４は、本発明の第１の実施の形態に係る非接触ＩＣカード通信調整板に積層する多孔磁性シートの変形例を示す平面図であり、図５は、本発明の第１の実施の形態に係る非接触ＩＣカード通信調整板の変形例を示す平面図である。また、図９は、非接触ＩＣカードを示す斜視図であり、図１０は、非接触ＩＣカードの使用状態を示す概略図である。
【００３３】
図９に示すように、非接触ＩＣカード通信調整板１を使用する非接触ＩＣカード３０は、カード型の本体３１にＩＣチップ３２と該ＩＣチップ３２に接続されたアンテナコイル３３とが埋設されたものであり、電磁波を利用して無線で非接触に外部装置４０との間でデータやプログラムの読み書きを行うものである。外部装置４０はカードリーダ・ライタ等である。
【００３４】
図１０に示すように、外部装置４０側から非接触ＩＣカード３０に誘導電磁波を照射すると、非接触ＩＣカード３０側ではアンテナコイル３３が誘導電磁波を受信して、アンテナコイル３３に誘導起電力が生じる。この誘導起電力が非接触ＩＣカード３０の駆動電力となるとともに誘導電磁波に重畳された電磁波によりＩＣチップ３２に記憶されたデータが読み取られる。
【００３５】
このような非接触ＩＣカード３０に重ね合わせて使用する非接触ＩＣカード通信調整板１は、外部装置４０と非接触ＩＣカード３０との間での通信を防止するために、非接触ＩＣカード３０と外部装置４０との間の電磁波を遮断ないし減衰させる作用を発揮することができるものである。
【００３６】
図２および図３に示すように、非接触ＩＣカード通信調整板１は、電磁波を遮断ないし減衰させるためのシールドシート１０に電磁波が透過する磁性シート２０を積層して配設したものである。この非接触ＩＣカード通信調整板１は、図１０に示すように外部装置４０と非接触ＩＣカード３０との間で行われる非接触の通信状態を調整するために使用するものである。
【００３７】
シールドシート１０は、略四辺形の平面形状に形成されており、その大きさは、非接触ＩＣカード３０と重ね合わせたときに非接触ＩＣカード３０に内蔵されるアンテナコイル３３より大きいものであることが好ましい。これにより、非接触ＩＣカード通信調整板１を非接触ＩＣカード３０に重ね合わせたときに、非接触ＩＣカード通信調整板１の周縁からの電磁波の回り込みを減少させて、外部装置４０と非接触ＩＣカード３０との間の電磁波を確実に遮断ないし減衰させるようにすることができる。
【００３８】
非接触ＩＣカード３０のアンテナコイル３３は、送信と受信を兼用するものであるが、これには限定されず、送信用アンテナと受信用アンテナとを別個に備えていてもよい。送信用と受信用に別個のアンテナを備えている場合には、いずれか一方のアンテナをシールドシート１０により遮蔽することができれば、非接触ＩＣカード３０と外部装置４０との通信を防止することができる。
【００３９】
このシールドシート１０は、導電性を有することによって電磁シールド効果が得られる素材を用いて形成されている。金属であれば、例えば、金、銀、白金、銅、アルミニウム、鉄、ニッケル等である。また、金属以外の物質としては、例えば導電性セラミックなどを用いることができる。これら金属等は、メッシュ状、ラティス状、箔状、あるいは板状等に形成したものが使用される。
【００４０】
シールドシート１０は、所定の媒体から成る基体（Ｂａｓｅ）に前記のように形成した金属等を貼付等して設けたものであってもよい。基体の素材としては、例えば、シート状のプラスチック、布、紙等を使用することができる。
【００４１】
また、シールドシート１０は、平板状に形成した基体に粉状の金属等を塗布したものであってもよい。また、粉状のプラスチックに金属粉を含有させ、これを層状に成形したものであってもよい。さらに、層状の基体に金属等を貼付したり、縫い込んだりしてシールドシート１０を構成するようにしてもよい。
【００４２】
基体に使用するプラスチックは、例えば、ポリエチレン（ＰＥ）、ポリプロピレン（ＰＰ）、ポリエチレンテレフタレート（ＰＥＴ）等の任意の樹脂材料を用いることができる。これら樹脂材料を基体とする場合、シールドシート１０は、基体中に導電性パウダーが混入されたプラスチックフィルム状に形成されたもの、表面に金属薄膜が蒸着されたプラスチックフィルム状に形成されたもの、表面に金属箔が貼り付けられたプラスチックフィルム状に形成されたもの、表面に導電性樹脂が塗布されたプラスチックフィルム状に形成されたもの、内部に金属線又は金属製の網が埋め込まれたプラスチックフィルム状に形成されたもの等にすることができる。  
以上のようにして形成したシールドシート１０は、透過しようとする電磁波を遮蔽することができる。
【００４３】
このシールドシート１０に積層する磁性シートは、非接触により外部装置４０と通信する非接触ＩＣカード３０が当該外部装置４０と通信するのを誘導する役割を果たすものであり、シールドシート１０との組み合わせにより、非接触ＩＣカード３０の通信状態を好適に調整するものである。
【００４４】
図１から図４までに示すように、本実施の形態の非接触ＩＣカード通信調整板１が備える磁性シートは、複数の貫通孔２１，２１ａが穿設されている。この複数の貫通孔２１，２１ａを有する磁性シートを以下に多孔磁性シート２０，２０Ａと記す。この多孔磁性シート２０，２０Ａは、シールドシート１０の両面に積層されている。
【００４５】
多孔磁性シート２０，２０Ａは、その全面にわたって多数の貫通孔２１，２１ａが穿設されている。図１では、全ての貫通孔２１を同一の大きさの円形のものとして例示し、図４では全ての貫通孔を同一の大きさの正方形の貫通孔２１ａとして例示したが、これらの形状に限定されるものではなく、また、他の形状に限定されるものでもない。貫通孔２１，２１ａは、異なる大きさのものが混在していてもよいし、さらに、複数種類の形状のものが混在していてもよい。また、図１や図４には、多孔磁性シート２０，２０Ａの全面にわたって多数の貫通孔２１，２１ａがほぼ均等に配置されているように例示してあるが、貫通孔２１，２１ａの配置は均等でなくてもよい。磁性シートに貫通孔をくり貫いた際の磁性シートの切片は、例えば図６の磁性シート片１００や図７の磁性シート片１００ａ，１００ｂ，１００ｃ，１００ｄや図８の磁性シート片１００ｅとして、本実施の形態の非接触ＩＣカード通信調整板１とは異なるタイプの非接触ＩＣカード通信調整板１Ａの製造に有効利用することができる。
【００４６】
貫通孔２１，２１ａは、例えば非接触ＩＣカード３０を非接触ＩＣカード通信調整板１に重ね合わせた使用状態において、非接触ＩＣカード３０に内蔵されたアンテナコイル３３全体が収まってしまうような大きさでなければよい。ただし、図９に示したアンテナコイル３３は、非接触ＩＣカード３０の本体３１よりもやや小さい領域を囲むような大きさに配置されているが、非接触ＩＣカード３０に内蔵されているアンテナコイルはこのように大きく配置されたものばかりではない。このため、全体が図示したアンテナコイル３３よりも小さいアンテナコイル３３が内蔵されている非接触ＩＣカード３０に対しては、アンテナコイル３３の全体が収まってしまうような大きさの貫通孔２１，２１ａであっても、使用状態において多孔磁性シート２０，２０Ａがアンテナコイル３３の少なくとも一部に重なる部分が残るような配置となるように穿設すればよい。
【００４７】
図２に示したように多孔磁性シート２０，２０Ａは、その周縁２３，２３ａがシールドシート１０の周縁の外側にはみ出さないように配設されている。また、図１や図４に示したように貫通孔２１，２１ａは、多孔磁性シート２０，２０Ａの周縁２３，２３ａにかかってくり貫かれたものもあり、それらは周縁２３，２３ａに切欠き凹部２２，２２ａを形成している。このため、多孔磁性シート２０，２０Ａの形状と大きさがシールドシート１０と同一の場合に、多孔磁性シート２０，２０Ａの周縁２３，２３ａをシールドシート１０の周縁と一致するように積層させても、切欠き凹部２２，２２ａの周縁は、シールドシート１０の周縁よりも必ず内側に位置する。これにより、シールドシートの全周縁と磁性シートの全周縁とが一致している非接触ＩＣカード通信調整板に比べて、外部装置４０に面した面とは反対側にある非接触ＩＣカード３０を外部装置４０が読み取ってしまう読取りエラーの防止効果が向上する。さらに、多孔磁性シート２０，２０Ａの貫通孔２１，２１ａにより、非接触ＩＣカード通信調整板１の全面にわたってシールドシート１０の露出部分が分布していることにより、非接触ＩＣカード通信調整板１の反対側にある非接触ＩＣカード３０の情報を読み取ってしまう読み取りエラーの発生する可能性をより低下させることができる。これにより、情報を読み取るべき非接触ＩＣカード３０からの情報の読み取りがより安定したものとなる。
【００４８】
このように形成される多孔磁性シート２０，２０Ａは、透磁率μに優れた材料が使用される。例えば、使用する電磁波の周波数において、比透磁率は１００以上のものが好ましく、より好ましくは１０００以上のものである。具体的には、パーマロイ、フェライト、センダスト、方向性ケイ素鋼等を使用することができる。これにより、多孔磁性シート２０，２０Ａは、電磁波を空気層よりも高密度に透過させることができる。
【００４９】
多孔磁性シート２０，２０Ａは、プラスチックフィルム等に前記パーマロイ等の材料を蒸着等させたものから貫通孔２１，２１ａを打ち抜くなどしてくり貫くことで製造することができる。
【００５０】
なお、シールドシート１０と多孔磁性シート２０，２０Ａとを積層する方法としては、特に制限はなく、公知の方法を使用することができる。一例として、それぞれ単独で形成されたシールドシート１０と多孔磁性シート２０，２０Ａとを接着剤や粘着剤を介して接着する等の手段により、両者を積層し、一体化させる方法がある。
【００５１】
このようにして製造した非接触ＩＣカード通信調整板１は、非接触ＩＣカード３０と略同じ大きさであってもよいし、ある程度余裕のある大きさであっても良い。
【００５２】
次に作用を説明する。  
なお、非接触ＩＣカード通信調整板１と非接触ＩＣカード通信調整板１Ａとの説明は共通するので、非接触ＩＣカード通信調整板１を代表として説明する。  
図３は、本実施の形態に係る非接触ＩＣカード通信調整板１の両面に非接触ＩＣカード３０ａ，３０ｂを重ね合わせた使用状態での非接触ＩＣカード通信調整板１の作用を説明する図である。図示したように、使用状態では、非接触ＩＣカード通信調整板１のシールドシート１０に多孔磁性シート２０を積層した両面に非接触ＩＣカード３０ａ，３０ｂが重ね合わせられている。
【００５３】
図３において、矢印は、非接触ＩＣカード３０ａ，３０ｂの情報を読み取るための電磁波（信号）を示している。また、「○」印は、通信が正常に行われることを示し、「×」印は、通信が正常に行われないことを示す。
【００５４】
図３においてシールドシート１０の左側から非接触ＩＣカード３０ａに向かう電磁波は、非接触ＩＣカード３０ａの裏面側に配置されている多孔磁性シート２０によってシールドシート１０の影響が軽減される。これにより、非接触ＩＣカード３０ａは、外部からの電磁波を問題なく受信することができ、また、非接触ＩＣカード３０ａから電磁波を発信することができる。これは、高透磁率の多孔磁性シート２０中は磁界が集中しやすいため、非接触ＩＣカード３０ａも磁界の中に置かれることによるものである。このため、非接触ＩＣカード３０ａは、外部からの電磁波を受信し、また、電磁波を発信することができる。したがって、シールドシート１０の左側から非接触ＩＣカード３０ａに向かう方向に外部装置４０が電磁波を発信したときには、非接触ＩＣカード３０ａと外部装置４０との間で通信をすることができる。
【００５５】
一方、同じシールドシート１０の左側から非接触ＩＣカード３０ａに向かう電磁波は、シールドシート１０の右側に重ね合わせられた非接触ＩＣカード３０ｂに対しては、非接触ＩＣカード通信調整板１のシールドシート１０によって遮蔽されるので、非接触ＩＣカード３０ｂに到達することはない。このため、非接触ＩＣカード３０ｂが非接触ＩＣカード通信調整板１を挟んで反対側から来る電磁波を受信してしまうことはなく、外部装置４０と非接触ＩＣカード３０ｂとの間の不所望の通信を防止することができる。
【００５６】
このような作用は、シールドシート１０の右側から非接触ＩＣカード３０ｂに向かう電磁波についても全く同様である。
【００５７】
一般に、導体（シールドシート１０）の内部には電磁波が存在せず、また、空気と導体との境界面でも境界条件より電磁波が充分に存在しない性質を有する。このため、例えば図３に示すように非接触ＩＣカード３０ｂを読み取るための電磁波が右側から発信されても、非接触ＩＣカード３０ｂの裏面に配置されるシールドシート１０のために電磁波が減衰してしまう。これにより、非接触ＩＣカード３０ｂは、非接触ＩＣカード３０ｂに対して電磁波を発信した外部装置４０と通信することができない。
【００５８】
また、非接触ＩＣカード３０ａに対してシールドシート１０の右側から進行して来る電磁波は、非接触ＩＣカード３０ｂに対してシールドシート１０の左側から進行して来る電磁波がシールドシート１０に遮断されてしまうのと同様にシールドシート１０によって遮断されるので、非接触ＩＣカード３０ａに到達することがない。このため、非接触ＩＣカード３０ａによる電磁波の受信は行われず、シールドシート１０の右側にある外部装置４０は、非接触ＩＣカード３０ａとの通信を妨げられる。
【００５９】
このように、本実施の形態に係る非接触ＩＣカード通信調整板１によれば、非接触ＩＣカード３０ａ，３０ｂと非接触ＩＣカード通信調整板１との重ね合わせ方および非接触ＩＣカード通信調整板１に重ね合わせた非接触ＩＣカード３０ａ，３０ｂを外部装置４０が発する電磁波が来る方向に対してどのように位置させるかによって、非接触ＩＣカード３０ａ，３０ｂと外部装置４０との通信を好適に調整することができる。
【００６０】
また、多孔磁性シート２０の大きさを、その周縁２３のうち切欠き凹部２２が形成されていない部分がシールドシート１０の周縁と一致するようなものとしても、シールドシート１０の長辺および短片に沿ったそれぞれの周縁２３に形成された切欠き凹部２２の周縁は、シールドシート１０の周縁よりも必ず内側に位置するので、その分、外部装置４０が外部装置４０に面した面とは反対側にある非接触ＩＣカード３０の情報を読み取ってしまう可能性が低くなっている。すなわち、切欠き凹部２２は、いわゆる読取りエラーの発生防止効果を向上させる機能を発揮している。
【００６１】
さらにまた、外部装置４０と非接触ＩＣカード３０との間で通信を可能とするためには多孔磁性シート２０がアンテナコイルの少なくとも一部に重なることが必要であるが、多孔磁性シート２０は、全面に多数の貫通孔２１が形成されているものであるので、すなわち、全面的に貫通孔２１と多孔磁性シート２０との間の磁性シート部が残っているので、貫通孔２１をよほど大きくし、数を少なくしない限り多孔磁性シート２０がアンテナコイル３３に重なり、もって外部装置４０と非接触ＩＣカード３０との間の通信ができないものとなることはない。したがって、貫通孔２１の形状や大きさ、多孔磁性シート２０上の貫通孔２１の分布位置等にほとんど制限がないので、貫通孔２１の形状や大きさ、多孔磁性シート２０上の貫通孔２１の分布位置等に様々なバリエーションを持たせることができる。
【００６２】
なお、多孔磁性シート２０は、シールドシート１０の両面に積層するのではなく、片面だけに積層してもよい。この場合は、多孔磁性シート２０を積層していない面に重ねた非接触ＩＣカード３０は、外部装置４０による読み取りはできない。
【００６３】
また、シールドシート１０の両面に配設された多孔磁性シート２０は、シールドシート１０の両面で同じものであってもよいし、貫通孔２１の形状や大きさや配置の分布などが全く異なるものとしてもよい。
【００６４】
なお、多孔磁性シート２０，２０Ａは、金属成分を含まない塗料や着色材で色付けしてもよい。このように色分けすることによって、非接触ＩＣカード通信調整板１を使用者の好みを反映し得るものにすることができる。
また、図５に示したように多孔磁性シート２０，２０Ａは、金属成分を含まない塗料や着色材で表面に似顔絵やキャラクター等の絵柄や文字等を描いたものとしてもよい。この場合にも、非接触ＩＣカード通信調整板１を使用者の好みを反映し得るものにすることができる。
【００６５】
次に、本発明の第２の実施の形態について説明する。  
図６から図８までは、本発明の第２の実施の形態を示している。  
図６は、本発明の第２の実施の形態に係る非接触ＩＣカード通信調整板を示す平面図であり、図７は、図６における磁性シート片とは異なる形状の磁性シート片を備えた非接触ＩＣカード通信調整板の平面図であり、図８は、キャラクターに模した磁性シート片を備えた非接触ＩＣカード通信調整板の平面図である。
【００６６】
図６に例示した非接触ＩＣカード通信調整板１Ａは、シールドシート１０に複数の磁性シート片１００が積層されたものである。磁性シート片１００は、テープ状に製造された磁性シートを小さく裁断したものでもよいし、本発明の第１の実施の形態で説明した多孔磁性シートの貫通孔をくり貫いたときにできる磁性シートの切片であってもよい。
【００６７】
磁性シート片１００の素材、磁性シート片１００をシールドシート１０に積層する方法等は、本発明の第１の実施の形態における多孔磁性シート２０，２０ａと同じであるので説明を省略する。また、シールドシート１０の作用は、本願発明の第１の実施の形態の非接触ＩＣカード通信調整板１について図３を参照しながら説明したものと同じであるので省略する。
【００６８】
図６に示した複数の磁性シート片１００は、長方形のものであり、その長辺をシールドシート１０の長辺の延びる方向に沿うように配置されており、シールドシート１０の長辺の延びる方向に４つ程度配置されているが、それらの形状や大きさや配置は図示したものに限られない。但し、大きさは、磁性シート片１００は、シールドシート１０の周縁のうち一つの角部１０１で繋がる、２方向に延びる２つの周縁には同時に接触可能であるが、２方向に延びる２つの周縁と他の周縁とには接触しない大きさであることが好ましい。
【００６９】
すなわち、磁性シート片１００は、シールドシート１０の一つの角部１０１で繋がるシールドシート１０の長辺と短辺には同時に接触可能であるが、同方向に延びて、相対する短辺と短辺または相対する長辺と長辺には同時に接触しない大きさであることが好ましい。このような大きさにすることにより、シールドシート１０上へ積層する際に、磁性シート片１００ごとの方向を揃える必要がなくなり、それだけ製造が容易になる。また、前記のような大きさのものであれば、１枚の非接触ＩＣカード通信調整板に使用する磁性シート片の大きさや形状はどのようなものでもよい。
【００７０】
シールドシート１０に積層した複数の磁性シート片１００は、少なくとも１つが、シールドシート１０を非接触ＩＣカード３０に重ね合わせた使用状態において、非接触ＩＣカード３０のアンテナコイル３３の一部に重なるように配置されている。このように構成された非接触ＩＣカード通信調整板１Ａでは、それぞれの磁性シート片１００は周囲の磁性シート片１００との間にシールドシートの露出した部分が形成されているので、非接触ＩＣカード通信調整板１Ａの反対側にある非接触ＩＣカード３０ａまたは３０ｂの情報を読み取ってしまう読み取りエラーの発生する可能性をより低下させることができ、非接触ＩＣカード３０ｂまたは３０ａからの情報の読み取りが安定したものとなる。
【００７１】
図７は、図６のシールドシート１０の磁性シート片１００をトランプの４種類のマークに模した磁性シート片１００ａ，１００ｂ、１００ｃ、１００ｄに置き換えたものである。すなわち、スペードの磁性シート片１００ａ、クローバーの磁性シート片１００ｂ、ハートの磁性シート片１００ｃおよびダイヤの磁性シート片１００ｄである。図７では、各マークの向きや大きさや配置を揃えて示したが、向き、大きさおよび配置とも揃える必要はない。また、金属成分を含まない塗料や着色材でスペード１００ａとクローバー１００ｂを黒色に色付けし、ハート１００ｃとダイヤ１００ｄを赤色で着色してもよい。さらに、マークの種類はどのようなものでもよく、混在させるマークの種類や大きさは特に限定されるものではない。
【００７２】
図８は、顔に模した絵を描いた磁性シート片１００ｅをシールドシート１０に積層したものである。この場合にも、磁性シート片１００ｅの大きさや顔の向きはランダムであってよく、また、金属成分を含まない塗料や着色材で色付けしてもよい。
【００７３】
次に、本発明の第３の実施の形態について説明する。  
図１１は、本発明の第３の実施の形態に係る非接触ＩＣカード収納具５０を示す斜視図である。  
図示した非接触ＩＣカード収納具５０は、カードケースタイプのものである。この非接触ＩＣカード収納具５０は、非接触ＩＣカード３０を収納したままで非接触ＩＣカード３０と外部装置４０とを非接触で通信することができるようにしたものである。この非接触ＩＣカード収納具５０は、断面が略矩形状のＩＣカード収納部５１が形成され、その内部には、該内部を２つに仕切るように前記した第１の実施の形態に係る非接触ＩＣカード通信調整板１または第２の実施の形態に係る非接触ＩＣカード通信調整板１Ａが取り付けられている。非接触ＩＣカード通信調整板１または非接触ＩＣカード通信調整板１Ａ（以下、「非接触ＩＣカード通信調整板１または非接触ＩＣカード通信調整板１Ａ」を「非接触ＩＣカード通信調整板１または１Ａ」と記す。）は、ＩＣカード収納部５１から脱落しないように、接着、溶着、縫付け等によって取り付けられている。
【００７４】
ＩＣカード収納部５１は、非接触ＩＣカード３０を収容したときに、非接触ＩＣカード３０と非接触ＩＣカード通信調整板１または１Ａとが相対的に上下方向ないし左右方向にほとんどずれることなく重なるような大きさおよび形状に形成されている。
【００７５】
非接触ＩＣカード３０は、非接触ＩＣカード通信調整板１または１Ａによって２つの部分に仕切られたＩＣカード収納部５１の何れの部分にも収容することができる。ＩＣカード収納部５１内に取り付けられたものが磁性シート２０を片面だけに配設した非接触ＩＣカード通信調整板である場合には、２つに仕切られた部分の何れに非接触ＩＣカード３０を収納するかによって非接触ＩＣカード通信調整板の作用効果が異なるので、適宜に判断して非接触ＩＣカード３０を収納すればよい。
【００７６】
なお、ＩＣカード収納部５１の内に取り付けられたものが多孔磁性シート２０または磁性シート片１００を片面だけに積層した非接触ＩＣカード通信調整板である場合には、ＩＣカード収納部５１の内部を２つに仕切るのではなく、非接触ＩＣカード通信調整板をＩＣカード収納部５１の内壁の一部に沿うように取り付けてもよい。
【００７７】
ＩＣカード収納部５１内に取り付けられたものが多孔磁性シート２０または磁性シート片１００を両面に配設した非接触ＩＣカード通信調整板１または１Ａである場合には、２つに仕切られた部分の何れに非接触ＩＣカード３０を収納しても非接触ＩＣカード通信調整板１または１Ａの作用効果は同じである。
【００７８】
以上のように構成された非接触ＩＣカード収納具５０は、ＩＣカード収納部５１に非接触ＩＣカード３０を収納したままで非接触ＩＣカード３０と外部装置４０との通信を可能にしたり、防止したりの調整をすることができる。
【００７９】
なお、図示した非接触ＩＣカード収納具５０は、断面が略矩形状のＩＣカード収納部５１を有するものであるが、カード状のベース部材に、空間的な遊びが殆どないポケットを備え、該ポケット内のベース部材側に非接触ＩＣカード通信調整板１または１Ａを取り付けて、そのポケットに非接触ＩＣカード３０を差し込むようにしたものでもよい。
【００８０】
図１２は、本発明の第３の実施の形態に係る非接触ＩＣカード収納具の変形例を示す斜視図である。この非接触ＩＣカード収納具６０は財布タイプのものである。以下、この非接触ＩＣカード収納具６０を財布６０と記す。図示した財布６０は、二つ折の財布であり、財布６０を開いたときの見開き面側が示されている。  
財布６０は、札入れタイプのものであり、非接触ＩＣカード３０を収納したままで非接触ＩＣカード３０と外部装置４０とを非接触で通信することができるようにしたものである。この財布６０は、各種カードを収納することができるカード収納部６１、紙幣を収納しておくための紙幣収納部６２、および非接触ＩＣカード３０を収納することができるＩＣカード収納部６３が設けられている。
【００８１】
ＩＣカード収納部６３の内部には、非接触ＩＣカード通信調整板１または１Ａが縫い付けるなどして固定されている。ＩＣカード収納部６３は、その内部に非接触ＩＣカード３０を収納したときに、非接触ＩＣカード３０と非接触ＩＣカード通信調整板１または１Ａとが相対的に上下方向ないし左右方向にほとんどずれることなく重なるような大きさおよび形状に形成されている。
【００８２】
このように構成された財布６０は、矢印で示したように非接触ＩＣカード３０をＩＣカード収納部６３に収納したときに非接触ＩＣカード通信調整板１または１Ａが前記の説明のように作用するので、非接触ＩＣカード３０を財布６０から取り出さず、財布６０に収納したままで非接触ＩＣカード３０と外部装置４０との通信を可能にしたり、防止したりの調整をすることができる。
【００８３】
また、非接触ＩＣカード３０を利用する場合、非接触ＩＣカード３０を収納しておくカードケースタイプのものを別個に所持する必要がなく、より利便性にすぐれた財布６０（非接触ＩＣカード収納具６０）となる。
【００８４】
なお、本発明の第１の実施の形態の非接触ＩＣカード通信調整板１および第２の実施の形態の被接触ＩＣカード通信調整板１Ａにおけるシールドシート１０の露出部分は、その全面の３０％以下であることが好ましい。シールドシート１０の露出部分を全面の３０％以下とすることにより、非接触ＩＣカード３０のアンテナコイル３３全体が多孔磁性シート２０，２０Ａや磁性シート片１００，１００ａ，１００ｂ，１００ｃ，１００ｄ，１００ｅに全く重ならないという事態の発生を防ぐとともに、非接触ＩＣカード３０と外部装置４０との間の通信状態を良好に維持することができる。
【図面の簡単な説明】
【００８５】
【図１】本発明の第１の実施の形態に係る非接触ＩＣカード通信調整板に積層する多孔磁性シートを示す平面図である。
【図２】本発明の第１の実施の形態に係る非接触ＩＣカード通信調整板の長辺側から見た側面図である。
【図３】本発明の第１の実施の形態に係る非接触ＩＣカード通信調整板の作用を説明する図である
【図４】本発明の第１の実施の形態に係る非接触ＩＣカード通信調整板に積層する多孔磁性シートの変形例を示す平面図である。
【図５】本発明の第１の実施の形態に係る非接触ＩＣカード通信調整板の変形例を示す平面図である。
【図６】本発明の第２の実施の形態に係る非接触ＩＣカード通信調整板を示す平面図である。
【図７】図６における磁性シート片とは異なる形状の磁性シート片を備えた非接触ＩＣカード通信調整板の平面図である。
【図８】他の磁性シート片を備えた非接触ＩＣカード通信調整板の平面図である。
【図９】非接触ＩＣカードを示す斜視図である。
【図１０】非接触ＩＣカードの使用状態を示す概略図である。
【図１１】本発明の第３の実施の形態に係る非接触ＩＣカード収納具を示す斜視図である。
【図１２】本発明の第３の実施の形態に係る非接触ＩＣカード収納具の変形例を示す斜視図である。
【符号の説明】
【００８６】
１，１Ａ…非接触ＩＣカード通信調整板
１０…シールドシート
２０…多孔磁性シート
２０Ａ…多孔磁性シート
２１…貫通孔
２１ａ…貫通孔
２２…切欠き凹部
２２ａ…切欠き凹部
２３，２３ａ…周縁
３０…非接触ＩＣカード
３０ａ…非接触ＩＣカード
３０ｂ…非接触ＩＣカード
３１…本体
３２…ＩＣチップ
３３…アンテナコイル
４０…外部装置
５０…非接触ＩＣカードケース
５１…ＩＣカード収納部
６０…財布
６１…カード収納部
６２…紙幣収納部
６３…ＩＣカード収納部
１００…磁性シート片
１００ａ…磁性シート片
１００ｂ…磁性シート片
１００ｃ…磁性シート片
１００ｄ…磁性シート片
１００ｅ…磁性シート片
１０１…角部
【図１】
2009288833.tif 000003
【図２】
2009288833.tif 000004
【図３】
2009288833.tif 000005
【図４】
2009288833.tif 000006
【図５】
2009288833.tif 000007
【図６】
2009288833.tif 000008
【図７】
2009288833.tif 000009
【図８】
2009288833.tif 000010
【図９】
2009288833.tif 000011
【図１０】
2009288833.tif 000012
【図１１】
2009288833.tif 000013
【図１２】
2009288833.tif 000014